(57)【要約】【課題】扉を容易に開くことができるエレベーターの扉開き治具を提供すること。【解決手段】第１扉開き治具１０は、エレベーターの乗場やカゴに配置される１以上の扉を手動で開くときに用いられる治具である。第１扉開き治具１０は、Ｚ方向に垂直な断面がＬ字形状であり、第１板部１２とそれに略直交する第２板部１３が一体となったＬ字状部１１と、第１板部１２の厚さ方向において第２板部１３側とは反対側に位置する第１棒状部１５ａを有し、第１板部１２に取り付けられる取手１５を備える。扉開き動作の際には、第２板部１３における第１板部１２側とは反対側の先端部１３ａを、上記１以上の扉に含まれて開きの起点となる特定扉と、その特定扉と相俟って開口を塞いでいる開口閉鎖部との間に配置する。【選択図】図２
2019167189.tif 000002
【特許請求の範囲】
【請求項１】
エレベーターの乗場やカゴに配置される１以上の扉を手動で開くときに用いられる扉開き治具であって、
高さ方向に垂直な断面がＬ字形状であり、第１板部と前記第１板部に略直交する第２板部が一体となったＬ字状部と、
前記第１板部の厚さ方向において前記第２板部側とは反対側に位置する把持部を有し、前記第１板部に取り付けられる取手と、を備え、
扉開き動作の際に、前記第２板部における前記第１板部側とは反対側の先端部が、前記１以上の扉に含まれて開き動作の起点となる特定扉と、その特定扉と相俟って開口を塞ぐ開口閉鎖部との間に配置される、エレベーターの扉開き治具。
【請求項２】
前記第１板部は、前記扉開き動作の際に前記特定扉にその特定扉の厚さ方向に対向する対向面を有し、
前記対向面に取り付けられ、前記対向面を前記扉に係止する係止部を更に備える、請求項１に記載のエレベーターの扉開き治具。
【請求項３】
前記係止部は、一端部が前記対向面に取り付けられたばね部材と、前記ばね部材の他端部に取り付けられた吸盤と、を含む、請求項２に記載のエレベーターの扉開き治具。
【請求項４】
開閉動作の際に互いに反対方向に移動する第１扉及び第２扉を有するエレベーターにおける前記第１扉及び前記第２扉を手動で開くときに用いられるエレベーターの両開き扉用開き治具であって、
２つの請求項１乃至３のいずれか１つに記載のエレベーターの扉開き治具を備え、
一方の前記扉開き治具における前記Ｌ字状部と、他方の前記扉開き治具における前記Ｌ字状部が、平面に対して略面対称に配置されることが可能な形状を有し、
開き動作の際、前記２つの扉開き治具の夫々の前記先端部が、前記第１扉と前記第２扉の間に配置される、エレベーターの両開き扉用開き治具。
【請求項５】
直線状に延在するガイドレールを備え、
前記２つの扉開き治具の夫々が、前記ガイドレールの延在方向に前記ガイドレールに移動可能に取り付けられる取付部を有し、
一方の前記扉開き治具における前記Ｌ字状部と、他方の前記扉開き治具における前記Ｌ字状部が、略面対称になる平面が存在する、請求項４に記載のエレベーターの両開き扉用開き治具。
【請求項６】
前記各扉開き治具の前記取手は、前記第１板部の一点を中心に前記第１板部に回転可能に取り付けられた棒部材であり、
前記開き動作の際、一方の前記扉開き治具の前記棒部材における前記把持部とは反対側の先端部と、他方の前記扉開き治具の前記棒部材における前記把持部とは反対側の先端部が接触する、請求項５に記載のエレベーターの両開き扉用開き治具。
【発明の詳細な説明】
【技術分野】
【０００１】
本発明は、エレベーターのカゴ扉や乗場扉を手動で開くときに用いられる扉開き治具に関する。
【背景技術】
【０００２】
特許文献１に記載されているように、エレベーターでは、乗客の安全のために保守点検が定期的に実行される。
【先行技術文献】
【特許文献】
【０００３】
【特許文献１】特開２０１５−０２０９００号公報
【発明の概要】
【発明が解決しようとする課題】
【０００４】
エレベーターの保守点検の際、カゴが、点検の際に昇降路から取り外したカバーや部品を置くスペースをカゴ上に有さない場合、保守作業員は、カゴに乗って、カゴを手動で内側から開けることで昇降路に設置された着床スイッチ等を点検する必要がある。しかしながら、カゴ扉を開く場合、保守作業員は、扉の僅かな隙間に手を突っ込んで重量物である扉に大きな力を付与して扉を動かさなければならず、この扉の開き作業は、保守作業員に重労働を強いる。また、この開作業は、各階毎に実行されなければならず、特に、エレベーターの階数が多い場合、保守作業員にとって非常な重労働となる。
【０００５】
そこで、本発明の課題は、扉を手動で開く際に、扉を容易に開くことができるエレベーターの扉開き治具を提供することにある。
【課題を解決するための手段】
【０００６】
上記課題を解決するため、本発明のエレベーターの扉開き治具は、エレベーターの乗場やカゴに配置される１以上の扉を手動で開くときに用いられる扉開き治具であって、高さ方向に垂直な断面がＬ字形状であり、第１板部と前記第１板部に略直交する第２板部が一体となったＬ字状部と、前記第１板部の厚さ方向において前記第２板部側とは反対側に位置する把持部を有し、前記第１板部に取り付けられる取手と、を備え、扉開き動作の際に、前記第２板部における前記第１板部側とは反対側の先端部が、前記１以上の扉に含まれて開き動作の起点となる特定扉と、その特定扉と相俟って開口を塞ぐ開口閉鎖部との間に配置される。
【０００７】
なお、扉が両開き形式の場合、上記開口閉鎖部は、扉が閉じた状態において特定扉と相俟って開口を塞ぐ他の扉で構成され、この他の扉も特定扉を構成する。また、扉が、片開き形式（開閉の際、複数の扉が同じ方向に移動する形式）の場合、上記開口閉鎖部は、特定扉と相俟って開口を塞ぐカゴや乗場の壁部で構成される。
【０００８】
本発明によれば、第２板部における第１板部側とは反対側の先端部を、特定扉と開口閉鎖部との間に挿入した状態で、把持部を介して特定扉に開口閉鎖部から離れる力を付与できる。したがって、扉の僅かな隙間に手を突っ込んで扉を開く場合との比較で、開口閉鎖部から離れる方向の大きな力を特定扉に容易に付与でき、扉を容易に開くことができる。
【０００９】
また、本発明において、前記第１板部が、前記扉開き動作の際に、前記特定扉にその特定扉の厚さ方向に対向する対向面を有し、前記対向面に取り付けられ、前記対向面を前記扉に係止する係止部を更に備えてもよい。
【００１０】
上記構成によれば、扉開き治具を特定扉に係止した状態で、特定扉に開口閉鎖部から離れる力を付与できる。よって、扉開き治具から特定扉に大きな力を付与し易く、扉を開く労力を更に低減できる。
【００１１】
また、本発明において、前記係止部は、一端部が前記対向面に取り付けられたばね部材と、前記ばね部材の他端部に取り付けられた吸盤と、を含んでもよい。
【００１２】
上記構成によれば、扉開き治具を特定扉に係止した状態で、特定扉に対する扉開き治具の相対位置を変動させることが可能になる。よって、取手が固定された第１板部を、第１１板部と第２板部の接続部周辺を支点として、特定扉から離れるように回転させる動作が可能になり、この動作で特定扉に大きな開き方向の力を付与できる。よって、扉を更に容易に開くことができる。
【００１３】
また、本発明のエレベーターの両開き扉用開き治具は、開閉動作の際に互いに反対方向に移動する第１扉及び第２扉を有するエレベーターにおける前記第１扉及び前記第２扉を手動で開くときに用いられるエレベーターの両開き扉用開き治具であって、２つの請求項１乃至３のいずれか１つに記載のエレベーターの扉開き治具を備え、一方の前記扉開き治具の前記Ｌ字状部と、他方の前記扉開き治具の前記Ｌ字状部が、平面に対して略面対称に配置されることが可能な形状を有し、開き動作の際、前記２つの扉開き治具の夫々の前記先端部が、前記第１扉と前記第２扉の間に配置される。
【００１４】
上記構成によれば、２つの扉開き治具の夫々の先端部を第１扉と第２扉の間に配置した後、一方の扉開き治具で第１扉にその開き方向の力を付与できると共に、他方の扉開き治具で第２扉にその開き方向の力を付与できる。よって、第１及び第２扉に同時に大きな開き方向の力を付与でき、扉を容易に開くことができる。
【００１５】
また、本発明の両開き扉用開き治具において、直線状に延在するガイドレールを備え、前記２つの扉開き治具の夫々が、前記ガイドレールの延在方向に前記ガイドレールに移動可能に取り付けられる取付部を有し、一方の前記扉開き治具の前記Ｌ字状部と、他方の前記扉開き治具の前記Ｌ字状部が、略面対称になる平面が存在してもよい。
【００１６】
上記構成によれば、２つの扉開き治具を互いに離脱不可能に一体に統合できる。よって、持ち運び等の取扱いが容易になり、片方の扉開き治具の紛失等が起こることもない。更には、一方の扉開き治具のＬ字状部と他方の扉開き治具のＬ字状部が平面に対して略面対称になるように移動するので、第１及び第２扉に力を付与する際に２つの扉開き治具の姿勢を安定させることができる。よって、第１及び第２扉に効率的に力を付与できる。
【００１７】
また、本発明の両開き扉用開き治具において、前記各扉開き治具の前記取手は、前記第１板部の一点を中心に前記第１板部に回転可能に取り付けられた棒部材であり、前記開き動作の際、一方の前記扉開き治具の前記棒部材における前記把持部とは反対側の先端部と、他方の前記扉開き治具の前記棒部材における前記把持部とは反対側の先端部が接触してもよい。
【００１８】
上記構成によれば、一方の扉開き治具の棒部材の先端部が、他方の扉開き治具の棒部材の先端部から受ける力で第１扉にその開き方向の力を付与でき、他方の扉開き治具の棒部材の先端部が、一方の扉開き治具の棒部材の先端部から受ける力で第２扉にその開き方向の力を付与できる。よって、第１及び第２扉に、それらを開く方向の大きな力を効率的に付与できる。
【発明の効果】
【００１９】
本発明に係るエレベーターの扉開き治具によれば、扉の僅かな隙間に手を突っ込んで扉を開く場合との比較で、扉を容易に開くことができる。
【図面の簡単な説明】
【００２０】
【図１】エレベーターのカゴ内から閉じている両開き式のカゴ扉を見たときの斜視図である。
【図２】第１実施形態の両開き扉用開き治具の斜視図である。
【図３】上記両開き扉用開き治具に含まれる第１扉開き治具を高さ方向から見たときの平面図である。
【図４】カゴ扉の開き動作の際中の第２実施形態の両開き扉用開き治具を高さ方向上側から見たときの平面図である。
【図５】カゴ扉の開き動作の際中の上記両開き扉用開き治具を高さ方向上側から見たときの平面図である。
【図６】ガイドレールに対する第１扉開き治具の取付構造について説明する断面図である。
【発明を実施するための形態】
【００２１】
以下に、本発明に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例及び図面において、Ｘ方向は、以下に説明する第１扉開き治具１０,１１０の第１板部１２,１１２の延在方向を示す。また、Ｙ方向は、第１扉開き治具１０,１１０の第２板部１３,１１３の延在方向を示し、第１板部１２,１１２の厚さ方向に一致する。また、Ｚ方向は、第１扉開き治具１０,１１０の高さ方向を示す。また、α方向は、エレベーター１のカゴ２の幅方向を示し、β方向は、カゴ２の奥行方向を示し、γ方向は、カゴ２の高さ方向を示す。Ｘ方向、Ｙ方向、及びＺ方向は、互いに直交し、α方向、β方向、及びγ方向も、互いに直交する。また、以下の実施例では、図面において同一構成に同一符号を付し、重複する説明を省略する。
【００２２】
（第１実施形態）
図１は、エレベーター１のカゴ２内から閉じている両開き式のカゴ扉３を見たときの斜視図である。図１に示すように、カゴ扉３は、第１扉３ａと第２扉３ｂを含み、第１扉３ａと第２扉３ｂは、開閉動作の際に互いにα方向の逆側に移動する。第１扉３ａは、開きの起点となる特定扉であり、第２扉３ｂは、特定扉と相俟って開口を塞いでいる開口閉鎖部であり、特定扉でもある。エレベーター１は、通常運行時、カゴ２が乗場に着床すると、カゴ扉３の開閉用モータへの通電を行う。この通電で、カゴ扉３が開き動作を開始すると、その開き動作に連動して、乗場扉の開きを防止するロック機構が外れ、乗場扉が開き動作を実行する。また、カゴ扉３が閉じると、その閉じ動作に連動して、乗場扉が閉じ、乗場扉が完全に閉じると、ロック機構が乗場扉の開き動作を機械的に防止する。また、カゴ２が上下動している場合には、上記開閉用モータに微小な電流を供給し、第１及び第２扉３ａ,３ｂにカゴ扉３を閉じる方向の負荷を付与する。このようにして、カゴ２の開き動作を禁止し、乗客が昇降路内に転落することを防止している。
【００２３】
しかし、エレベーター１のメンテナンス時においては、上述のように、カゴ２内から昇降路の各種部品の点検を実施しなければならない場合がある。このような場合、カゴ扉３の開閉用モータの稼働を停止し、カゴ扉３が第１及び第２扉３ａ,３ｂの自重だけで閉じるようにする。そして、保守作業員が第１及び第２扉３ａ,３ｂに開き方向に力を付与することで第１及び第２扉３ａ,３ｂが開き動作を行うことを可能にする。
【００２４】
次に、メンテナンス状態、すなわち、カゴ扉３の開閉用モータの稼働を停止している状態において、第１及び第２扉３ａ,３ｂを開くために用いられる両開き扉用開き治具５０の構造と、それを用いた第１及び第２扉３ａ,３ｂの開き動作について説明する。
【００２５】
図２は、第１実施形態の両開き扉用開き治具５０の斜視図であり、図３は、その両開き扉用開き治具に含まれる第１扉開き治具１０をＺ方向から見たときの平面図である。図２に示すように、両開き扉用開き治具５０は、第１扉開き治具１０と、第２扉開き治具２０を備える。第２扉開き治具２０の構造の説明は、それと同様の構造を有する第１扉開き治具１０の説明をもって省略する。
【００２６】
図２及び図３に示すように、第１扉開き治具１０は、Ｌ字状部１１、及び取手１５を備え、Ｌ字状部１１は、Ｚ方向に垂直な断面がＬ字形状になっている。詳しくは、Ｌ字状部１１は、板状の第１板部１２と、板状の第２板部１３を含み、第１板部１２と、第２板部１３の高さは、略一致する。第２板部１３は、Ｙ方向一方側に位置する先端部１３ａが、Ｙ方向一方側に行くにしたがって先細りとなる尖った形状を有し、Ｙ方向の他方側端部１３ｂ（図３参照）が、第１板部１２のＸ方向一方側端部とつながっている。第１板部１２と第２板部１３は、一体に構成され、互いに略直交する。第２板部１３の先細りの先端部１３ａは、静止摩擦係数が小さい樹脂材料等でコーティングされると好ましい。
【００２７】
取手１５は、第１板部１２に取り付けられ、より詳しくは、第１板部１２の厚さ方向（Ｙ方向に一致）の第２板部１３側とは反対側の面１２ａに取り付けられる。取手１５は、一体に構成され、コ字形状を有する。取手１５は、Ｚ方向に延在する第１棒状部１５ａと、Ｙ方向に延在する一対の第２及び第３棒状部１５ｂ,１５ｃを含む。第２棒状部１５ｂは、第１棒状部１５ａのＺ方向上側端部からＹ方向に延在し、第３棒状部１５ｃは、第１棒状部１５ａのＺ方向下側端部からＹ方向に延在する。第２棒状部１５ｂの第１棒状部１５ａ側とは反対側の端部と、第３棒状部１５ｃの第１棒状部１５ａ側とは反対側の端部は、Ｚ方向に間隔をおいた状態で上記反対側の面１２ａに接合される。
【００２８】
第１棒状部１５ａは、第１板部１２の厚さ方向において第２板部１３側とは反対側に位置する。第１棒状部１５ａは、取手１５の把持部を構成する。Ｌ字状部１１及び取手１５は、如何なる材料で形成されてもよいが、金属で構成されると剛性を高くできて好ましい。なお、Ｌ字状部１１及び取手１５を金属で構成する場合、取手１５は、例えば溶接によりＬ字状部１１に接合され、Ｌ字状部１１と一体化される。第１扉開き治具１０のＬ字状部１１と、第２扉開き治具２０のＬ字状部２１は、任意の平面に対して面対称に配置可能な形状を有する。第２扉開き治具２０は、第１扉開き治具１０の取手１５と同様な構造の取手２５を有する。
【００２９】
図３に示すように、第１扉開き治具１０は、更に係止部１７を有する。係止部１７は、コイルバネ等で構成されるばね部材１８と、吸盤１９を含む。ばね部材１８の一端部は、第１板部１２における厚さ方向の第２板部１３側の面１２ｂに接合され、吸盤１９は、吸着側をばね部材１８側とは反対側に向けた状態でばね部材１８の他端部に接合される。第２扉開き治具２０も、第１扉開き治具１０の係止部１７と同様な構造の係止部（図示せず）を有する。第１扉開き治具１０におけるＬ字状部１１及び取手１５と、第２扉開き治具２０におけるＬ字状部２１及び取手２５は、平面に対して面対称に配置される形状及び大きさを有すると取扱い易くなって好ましい。
【００３０】
次に、両開き扉用開き治具５０を用いたカゴ扉３の開き方法について説明する。図１及び図２を参照して、先ず、保守作業員は、第１扉３ａと第２扉３ｂの隙間のうちで背の高さに対応する隙間部分（例えば、図１に５で示す隙間部分）に、Ｌ字状部１１の第２板部１３とＬ字状部２１の第２板部２３（図２参照）を当接させた状態で、第２板部１３の先細りとなった先端部１３ａと、第２板部２３の先細りとなった先端部２３ａを挿入する。続いて、係止部１７の吸盤１９が、第１扉３ａのカゴ室側の面に吸着するまで、第２板部１３を第１扉３ａと第２扉３ｂの隙間にβ方向に挿入すると共に、第２扉開き治具２０の係止部の吸盤が、第２扉３ｂのカゴ室側の面に吸着するまで、第２板部２３を第１扉３ａと第２扉３ｂの隙間に挿入する。この状態で、第１板部１２における第２板部１３側の面１２ｂは、第１扉３ａにその厚さ方向に対向する。第１板部１２の面１２ｂは、扉開き動作の際に、特定扉にその厚さ方向に対向する対向面を構成する。
【００３１】
続いて、２つの第１棒状部１５ａ,２５ａを両手で握って、一方の第１棒状部１５ａを矢印Ａ１で示す方向に、第１板部１２と第２板部１３の接続部周辺を支点として、取手２５側かつ先端部２３ａ側に第１板部１２が第１扉３ａから離れるように回転させる。また、これと略同時に、他方の第１棒状部２５ａを矢印Ａ２で示す方向に、第１板部２２と第２板部２３の接続部周辺を支点として、取手１５側かつ先端部１３ａ側に第１板部２２が第２扉３ｂから離れるように回転させる。吸盤１９がばね部材１８を介して第１板部１２に取り付けられているので、第１板部１２が、ばね部材１８の伸長により第１扉３ａに対して相対移動可能になり、第２扉開き治具２０の第１板部２２が、同様の機構で第２扉３ｂに対して相対移動可能となる。よって、第１棒状部１５ａ,２５ａの矢印Ａ１,Ａ２で示す回転を実行できる。
【００３２】
それらの回転により、先端部１３ａが、矢印Ｂ１で示す方向に矢印Ａ１とは反対側に回転し、先端部２３ａが、矢印Ｂ２で示す方向に矢印Ａ２とは反対側に回転する。この先端部１３ａ,２３ａの回転により、開き方向の大きな力が第１及び第２扉３ａ,３ｂに作用して、第１及び第２扉３ａ,３ｂが互いから離れ、第１扉３ａと第２扉３ｂの間に隙間が生じる。その後、保守作業員が、２つの第１棒状部１５ａ,２５ａの一方を握って、第１及び第２扉３ａ,３ｂを開き方向に移動させると、カゴ扉３が開いて昇降路に通じる開口が生じ、メンテナンス作業が可能になる。
【００３３】
なお、保守作業員は、先端部１３ａ,２３ａの回転で、第１扉３ａと第２扉３ｂとの間に隙間が生じた後、第１及び第２扉開き治具１０,２０を用いなくてもよく、第１及び第２扉３ａ,３ｂのうちの一方の扉のγ方向に延在する縁部を握って、その一方の扉を開き方向に移動させてもよい。また、保守作業員は、第１及び第２扉開き治具１０,２０の夫々において、係止部１７の吸盤１９を第１及び第２扉３ａ,３ｂのカゴ室側の面に吸着させた後、第１棒状部１５ａ,２５ａを矢印Ｂ１,Ｂ２方向に回転させずに単にα方向の逆側に移動させることで、カゴ扉３を開いてもよい。更には、第１及び第２扉開き治具１０,２０は、係止部１７を有しているので、手を放しても第１及び第２扉３ａ,３ｂから落下することがない。したがって、第１及び第２扉開き治具１０,２０を、全ての階の保守作業が終了するまで第１及び第２扉３ａ,３ｂに係止したままにできる。よって、２つ目の階の開き動作からは、第１及び第２扉開き治具１０,２０を、第１扉３ａと第２扉３ｂの間に挿入する必要がなく、開き作業を、小さな労力で効率的に実行できる。
【００３４】
以上、両開き扉用開き治具５０によれば、各第１及び第２扉開き治具１０,２０において、第２板部１３,２３における第１板部１２,２２側とは反対側の先端部１３ａ,２３ａを、第１及び第２扉３ａ,３ｂの間に挿入でき、第１棒状部１５ａ,２５ａを介して第１及び第２扉３ａ,３ｂに互いに離れる方向の力を付与できる。したがって、第１及び第２扉３ａ,３ｂの僅かな隙間に手を突っ込んでカゴ扉３を開く場合との比較で、第１及び第２扉３ａ,３ｂに開き方向の大きな力を容易に付与でき、カゴ扉３を容易に開くことができる。
【００３５】
また、第１板部１２,２２が、カゴ扉３の開き動作の際に第１及び第２扉３ａ,３ｂにその厚さ方向に対向する面（以下、対向面という）１２ｂを有する。また、第１及び第２扉開き治具１０,２０が、対向面１２ｂに取り付けられ、対向面１２ｂを第１及び第２扉３ａ,３ｂに係止する係止部１７を備える。したがって、第１及び第２扉開き治具１０,２０を第１及び第２扉３ａ,３ｂに係止した状態で、第１及び第２扉３ａ,３ｂに互いに離れる力を付与できる。よって、第１及び第２扉開き治具１０,２０から第１及び第２扉３ａ,３ｂに大きな力を付与し易く、カゴ扉３を開く労力を更に低減できる。
【００３６】
また、係止部１７が、一端部が対向面に取り付けられたばね部材１８と、ばね部材１８の他端部に取り付けられた吸盤１９を含むので、取手１５,２５が固定された第１板部１２,２２を、第１板部１２,２２と第２板部１３,２３の接続部周辺を支点として、第１及び第２扉３ａ,３ｂから離れるように回転させることができる。よって、この第１板部１２,２２の回転動作で第１及び第２扉３ａ,３ｂに大きな開き方向の力を付与でき、カゴ扉３を更に容易に開くことができる。
【００３７】
更には、第１扉開き治具１０のＬ字状部１１と、第２扉開き治具２０のＬ字状部２１が、平面に対して略面対称に配置されることが可能な形状を有する。したがって、第１及び第２扉開き治具１０,２０が扱い易くなって、第１及び第２扉３ａ,３ｂに開き方向の均等な力を付与し易い。よって、第１及び第２扉３ａ,３ｂを円滑に移動させ易い。
【００３８】
なお、第１実施形態では、係止部１７を、ばね部材１８と、その一端部に固定された吸盤１９で構成した。しかし、係止部は、扉の対向面に取り付けられた吸盤のみで構成されてもよく、又は、ばね部材と、その一端部に固定された磁石で構成されてもよく、磁石のみで構成されてもよい。又は、両開き扉用開き治具は、係止部を有さなくてもよい。
【００３９】
また、第１扉開き治具１０のＬ字状部１１と、第２扉開き治具２０のＬ字状部２１が、平面に対して略面対称に配置されることが可能な形状を有する場合について説明した。しかし、第１扉開き治具のＬ字状部と、第２扉開き治具のＬ字状部は、平面に対して略面対称に配置されることが可能な形状でなくてもよい。
【００４０】
また、エレベーター１のカゴ２が、開き動作の際に互いに逆向きに移動する第１及び第２扉３ａ,３ｂを備える場合について説明した。しかし、エレベーターのカゴは、開き動作の際に、同じ方向に移動する２以上の扉を有してもよい。この場合、特定扉は、２以上の扉のうちで開き動作の際に最も速い速度で移動する扉で構成され、開口閉鎖部は、その特定扉と相俟って開口を塞いでいるカゴ本体の壁部で構成される。また、扉開き治具は、図２に示す第１及び第２扉開き治具１０,２０の一方で構成され、この場合、開き動作を行う際には、その一方の扉開き治具における第２板部の先端部を、特定扉とカゴ本体の壁部との隙間に挿入する。そして、その一方の扉開き治具の取手を、特定扉がカゴ本体の壁部から離れるように引っ張ることで、カゴ扉の開き動作を実行する。また、両開き扉用開き治具５０、又は第１及び第２扉開き治具１０,２０の一方で、カゴ扉を開く場合について説明した。しかし、両開き扉用開き治具、又は第１及び第２扉開き治具の一方で、ロック機構が外された乗場扉を開いてもよいのは言うまでもない。
【００４１】
（第２実施形態）
以下、第２実施形態の両開き扉用開き治具１５０の構造及び動作について説明する。なお、第２実施形態では、第１実施形態と同様の作用効果及び変形例については、説明を省略する。図４、及び図５は、カゴ扉３の開き動作の際中の両開き扉用開き治具１５０をＺ方向上側から見たときの平面図である。
【００４２】
図４に示すように、両開き扉用開き治具１５０は、第１扉開き治具１１０、第２扉開き治具１２０、及びガイドレール１３０を備える。ガイドレール１３０は、Ｘ方向に延在する。第１及び第２扉開き治具１１０,１２０は、ガイドレール１３０に対してＸ方向に摺動可能になっている。図６は、その摺動が可能になるガイドレール１３０に対する第１扉開き治具１１０の取付構造１８０の断面図であり、取付構造１８０におけるＹ方向及びＺ方向を含む断面図である。
【００４３】
図６に示すように、ガイドレール１３０は、Ｘ方向に延在する断面略Ｔ字状の嵌合溝１３１を有する。また、第１扉開き治具１１０のＬ字状部１１１においてＹ方向に延在する第２板部１１３は、Ｚ方向上側に突出すると共に嵌合溝１３１の断面形状に対応するＴ字状の断面形状を有する突出部１４１を含む。突出部１４１は、ガイドレール１３０の延在方向に移動可能に取り付けられる第１扉開き治具１１０の取付部を構成する。突出部１４１の断面の大きさは、嵌合溝１３１の断面の大きさよりも僅かに小さい。その結果、突出部１４１がガイドレール１３０に対してＸ方向に摺動可能になり、それに起因して、第２板部１１３、ひいては第１扉開き治具１１０が、ガイドレール１３０に対してＸ方向に移動可能になる。
【００４４】
図４に示すように、第１扉開き治具１１０と第２扉開き治具１２０は、Ｙ方向及びＺ方向を含む平面に対して略面対称となる。第２扉開き治具１２０の構造の説明は、それと類似の構造を有する第１扉開き治具１１０の説明をもって省略する。第１扉開き治具１１０と第２扉開き治具１２０は、Ｙ方向及びＺ方向を含む平面に対して略面対称となる配置を維持しながらガイドレール１３０に対してＸ方向に移動する。
【００４５】
第１及び第２扉開き治具１１０,１２０は、ガイドレール１３０から離脱不可能になっている。例えば、最初、ガイドレール１３０の少なくとも一方側端部は、Ｘ方向に開口している。そして、各扉開き治具１１０,１２０の断面Ｔ字状の突出部１４１を、ガイドレール１３０の一方側端部から嵌合溝１３１に挿入する。最後に、ガイドレール１３０の嵌合溝１３１の一方側端部の開口又は両端部の開口を溶接等で塞ぐと、第１及び第２扉開き治具１１０,１２０がガイドレール１３０から離脱不可能になる。
【００４６】
第１扉開き治具１１０は、更に第３板部１１４を有する。第３板部１１４は、第２板部１１３におけるＹ方向の両端部以外の中央部からＸ方向に延在する。第３板部１１４は、第２板部１１３に対してＸ方向の第２扉開き治具１２０側とは反対側に配置され、第１板部１１２にＹ方向に間隔をおいて対向する。第１扉開き治具１１０は、更に吸盤１１９を有し、その吸盤１１９は、第３板部１１４のＹ方向の第１板部１１２側とは反対側の面１１４ａに直接接合される。
【００４７】
第１扉開き治具１１０は、更に取手１１５を備える。取手１１５は、棒状部材であり、その延在方向の一方側に円筒孔（図示せず）を有する。また、第１扉開き治具１１０は、第１板部１１２に固定されて第１板部１１２からＺ方向下方に延在するピン（図示せず）を備え、そのピンの一部は、取手１１５の円筒孔に収容される。取手１１５は、ピンから離脱不可能になっており、ピンの中心軸を支点としてピンに対して回動可能になっている。第１扉開き治具１１０の第２板部１１３が、第２扉開き治具１２０の第２板部１２３に当接している状態で、第２板部１１３の先端部１１３ａと第２板部１２３の先端部１２３ａは、互いに相俟って平面視が二等辺三角形状の統合先端部１５９を構成する。
【００４８】
両開き扉用開き治具１５０は、カゴ扉３を開く際、次のように用いられる。先ず、図４を参照して、第１扉開き治具１１０の第２板部１１３と第２扉開き治具１２０の第２板部１２３を当接させ、２つの先端部１１３ａ,１２３ａが相俟って構成された統合先端部１５９を第１扉３ａと第２扉３ｂの間に挿入する。この統合先端部１５９の挿入は、第１扉開き治具１１０の吸盤１１９が第１扉３ａのカゴ室側の面に吸着し、第２扉開き治具１２０の吸盤１２９が第２扉３ｂのカゴ室側の面に吸着するまで実行される。
【００４９】
その後、図５に示すように、取手１１５において第１板部１１２に対して第２板部１１３側とは反対側に位置する把持部１１５ａを矢印Ｃ１に示す方向に第２扉開き治具１２０側とは反対側に回動させる。また、取手１２５において第１板部１２２に対して第２板部１２３側とは反対側に位置する把持部１２５ａを矢印Ｃ２に示す方向に第１扉開き治具１１０側とは反対側に回動させる。
【００５０】
そして、第１扉開き治具１１０と第２扉開き治具１２０を面対称とする平面Ｐ上で、取手１１５の先端部１１５ｂと取手１２５の先端部１２５ｂを接触させる。その後、把持部１１５ａを矢印Ｃ１に示す方向に更に回転させると同時に、把持部１２５ａを矢印Ｃ２に示す方向に更に回転させる。すると、取手１１５が矢印Ｄ１で示す方向に先端部１２５ｂからＸ方向一方側の力を受け、取手１２５が矢印Ｄ２で示す方向に先端部１１５ｂからＸ方向他方側の力を受ける。
【００５１】
取手１１５が受けた矢印Ｄ１で示す方向の力によって、第１扉開き治具１１０が第２扉開き治具１２０から離れる方向にＸ方向一方側に移動し、取手１２５が受けた矢印Ｄ２で示す方向の力によって、第２扉開き治具１２０が第１扉開き治具１１０から離れる方向にＸ方向他方側に移動する。
【００５２】
第２実施形態によれば、保守作業員が力を付与する把持部１１５ａ,１２５ａ（力点）と、第１及び第２扉開き治具１１０,１２０が接触により力を受ける先端部１１５ｂ,１２５ｂ（作用点）が、取手１１５,１２５の回転中心に対して互いに逆側に位置する。よって、テコの原理により、接触する２つの先端部１１５ｂ,１２５ｂに互いに逆向きの大きな力を効率的に付与できる。その結果、小さな力でカゴ扉３を容易に開くことができる。
【符号の説明】
【００５３】
１  エレベーター、  ２  カゴ、  ３  カゴ扉、  ３ａ  第１扉、  ３ｂ  第２扉、  １０,１１０  第１扉開き治具、  １１,１１１  第１扉開き治具のＬ字状部、  １２,１１２  第１扉開き治具の第１板部、  １２ｂ  第１扉開き治具の第１板部の対向面、  １３,１１３  第１扉開き治具の第２板部、  １３ａ,１１３ａ  第１扉開き治具の第２板部の先端部、  １５,１１５  第１扉開き治具の取手、  １５ａ  第１扉開き治具の棒状部、  １７  第１扉開き治具の係止部、  １８  第１扉開き治具のばね部材、  １９  第１扉開き治具の吸盤、  ２０,１２０  第２扉開き治具、  ２１  第２扉開き治具のＬ字状部、  ２２,１２２  第２扉開き治具の第１板部、  ２３,１２３  第２扉開き治具の第２板部、  ２３ａ,１２３ａ  第２扉開き治具の第２板部の先端部、  ２５,１２５  第２扉開き治具の取手、  ２５ａ  第２扉開き治具の棒状部、  ５０,１５０  両開き扉用開き治具、  １１５ａ  第１扉開き治具の把持部、  １１５ｂ  第１扉開き治具の取手の先端部、  １２５ａ  第２扉開き治具の把持部、  １２５ｂ  第２扉開き治具の取手の先端部、  １３０  ガイドレール、  １４１  第１扉開き治具の突出部（取付部）、  Ｐ  平面、  Ｙ方向  第１板部の厚さ方向。
【図１】
2019167189.tif 000003
【図２】
2019167189.tif 000004
【図３】
2019167189.tif 000005
【図４】
2019167189.tif 000006
【図５】
2019167189.tif 000007
【図６】
2019167189.tif 000008